(57)【要約】【課題】紙を媒体とした情報の流通経路をより高速に把握することを可能とする。【解決手段】紙を媒体とした情報の流通経路を把握する情報流通把握システムであって、前記紙から検出される前記紙を一意に識別する紙識別情報に基づいて、以前に解析した前記情報の流通経路の結果を示す履歴情報から更に派生した経路を検索する検索手段と、前記検索手段により得られた検索結果と前記履歴情報に基づいて、解析対象の紙の前記情報の流通経路を解析する解析手段とを有することにより、上記課題を解決する。【選択図】  図７
2010072874.tif 000002
【特許請求の範囲】
【請求項１】
紙を媒体とした情報の流通経路を把握する情報流通把握システムであって、
前記紙から検出される前記紙を一意に識別する紙識別情報に基づいて、以前に解析した前記情報の流通経路の結果を示す履歴情報から更に派生した経路を検索する検索手段と、
前記検索手段により得られた検索結果と前記履歴情報に基づいて、解析対象の紙の前記情報の流通経路を解析する解析手段とを有することを特徴とする情報流通把握システム。
【請求項２】
前記検索手段は、
前記履歴情報に示された検索日時後に記録され、予め蓄積される前記紙識別情報及び前記紙に対して画像処理がなされたことを示すログ情報から、前記紙識別子が親紙識別子となるログを取得することを特徴とする請求項１に記載の情報流通把握システム。
【請求項３】
前記検索手段は、
前記履歴情報が存在しない場合に、前記ログ情報全てから、前記紙識別子が親紙識別子となるログを取得することを特徴とする請求項１又は２に記載の情報流通把握システム。
【請求項４】
前記流通経路は、
前記紙を一意に識別する紙識別情報と、前記紙を媒体として画像処理によって行われる情報の入力又は出力を表す処理情報と、他の紙識別情報との関係を示すことを特徴とする請求項１乃至３の何れか１項に記載の情報流通把握システム。
【請求項５】
一つ以上の画像処理によって派生する前記情報の流通経路を家系図にした画面を表示する表示生成手段を有することを特徴とする請求項１乃至４の何れか１項に記載の情報流通把握システム。
【請求項６】
紙を媒体とした情報の流通経路を把握する情報流通把握サーバであって、
クライアントからの要求に基づき、前記紙から検出される前記紙を一意に識別する紙識別情報に基づいて、以前に解析した前記情報の流通経路の結果を示す履歴情報から更に派生した経路を検索する検索手段と、
前記検索手段により得られた検索結果と前記履歴情報に基づいて、解析対象の紙の前記情報の流通経路を解析する解析手段と、
前記クライアントと通信するためのクライアント通信手段とを有することを特徴とする情報流通把握サーバ。
【請求項７】
前記検索手段は、
前記履歴情報に示された検索日時後に記録され、予め蓄積される前記紙識別情報及び前記紙に対して画像処理がなされたことを示すログ情報から、前記紙識別子が親紙識別子となるログを取得することを特徴とする請求項６に記載の情報流通把握サーバ。
【請求項８】
前記検索手段は、
前記履歴情報が存在しない場合に、前記ログ情報全てから、前記紙識別子が親紙識別子となるログを取得することを特徴とする請求項６又は７に記載の情報流通把握サーバ。
【請求項９】
前記流通経路は、
前記紙を一意に識別する紙識別情報と、前記紙を媒体として画像処理によって行われる情報の入力又は出力を表す処理情報と、他の紙識別情報との関係を示すことを特徴とする請求項６乃至８の何れか１項に記載の情報流通把握サーバ。
【請求項１０】
一つ以上の画像処理によって派生する前記情報の流通経路を家系図にした画面を表示する表示生成手段を有することを特徴とする請求項６乃至９の何れか１項に記載の情報流通把握サーバ。
【請求項１１】
紙を媒体とした情報の流通経路を把握する情報流通把握方法であって、
前記紙から検出される前記紙を一意に識別する紙識別情報に基づいて、以前に解析した前記情報の流通経路の結果を示す履歴情報から更に派生した経路を検索する検索手順と、
前記検索手順により得られた検索結果と前記履歴情報に基づいて、解析対象の紙の前記情報の流通経路を解析する解析手順とを有することを特徴とする情報流通把握方法。
【請求項１２】
前記検索手順は、
前記履歴情報に示された検索日時後に記録され、予め蓄積される前記紙識別情報及び前記紙に対して画像処理がなされたことを示すログ情報から、前記紙識別子が親紙識別子となるログを取得することを特徴とする請求項１１に記載の情報流通把握方法。
【請求項１３】
前記検索手順は、
前記履歴情報が存在しない場合に、前記ログ情報全てから、前記紙識別子が親紙識別子となるログを取得することを特徴とする請求項１１又は１２に記載の情報流通把握方法。
【請求項１４】
前記流通経路は、
前記紙を一意に識別する紙識別情報と、前記紙を媒体として画像処理によって行われる情報の入力又は出力を表す処理情報と、他の紙識別情報との関係を示すことを特徴とする請求項１１乃至１３の何れか１項に記載の情報流通把握方法。
【請求項１５】
一つ以上の画像処理によって派生する前記情報の流通経路を家系図にした画面を表示する表示生成手段を有することを特徴とする請求項１１乃至１４の何れか１項に記載の情報流通把握方法。
【請求項１６】
紙を媒体とした情報の流通経路を把握する情報流通把握プログラムであって、
コンピュータを、
前記紙から検出される前記紙を一意に識別する紙識別情報に基づいて、以前に解析した前記情報の流通経路の結果を示す履歴情報から更に派生した経路を検索する検索手段と、
前記検索手段により得られた検索結果と前記履歴情報に基づいて、解析対象の紙の前記情報の流通経路を解析する解析手段として機能させることを特徴とする情報流通把握プログラム。
【請求項１７】
前記検索手段は、
前記履歴情報に示された検索日時後に記録され、予め蓄積される前記紙識別情報及び前記紙に対して画像処理がなされたことを示すログ情報から、前記紙識別子が親紙識別子となるログを取得することを特徴とする請求項１６に記載の情報流通把握プログラム。
【請求項１８】
前記検索手段は、
前記履歴情報が存在しない場合に、前記ログ情報から、前記紙識別子が親紙識別子となるログを取得することを特徴とする請求項１６又は１７に記載の情報流通把握プログラム。
【請求項１９】
前記流通経路は、
前記紙を一意に識別する紙識別情報と、前記紙を媒体として画像処理によって行われる情報の入力又は出力を表す処理情報と、他の紙識別情報との関係を示すことを特徴とする請求項１６乃至１８の何れか１項に記載の情報流通把握プログラム。
【請求項２０】
一つ以上の画像処理によって派生する前記情報の流通経路を家系図にした画面を表示する表示生成手段を有することを特徴とする請求項１６乃至１９の何れか１項に記載の情報流通把握プログラム。
【発明の詳細な説明】
【技術分野】
【０００１】
本発明は、情報流通把握システム、情報流通把握サーバ、情報流通把握方法、及び情報流通把握プログラムに係り、特に紙を媒体とした情報の流通経路を把握する情報流通把握システム、情報流通把握サーバ、情報流通把握方法、及び情報流通把握プログラムに関する。
【背景技術】
【０００２】
近年では、ＩＴシステムの発達によって情報漏洩が広範囲に発生するようになり、大きな問題となっている。情報漏洩には電子文書による漏洩と紙文書による漏洩があり、電子文書による情報漏洩に対しては、ユーザ認証やアクセス制御といったセキュリティ技術による様々な対策がなされている。一方、紙文書による情報漏洩に対しては、対策が遅れている感が否めない。
【０００３】
従来、紙文書による情報漏洩に対する対策としては、マル秘スタンプの追加による心理的な抑止効果を期待する程度であった。また、印刷やコピー時において、いつ、誰によって印刷やコピーがされたかという情報を出力用紙に付加する技術も提案されている（例えば、特許文献１参照。）
また、ＩＴシステムの発達によって情報が広範囲に伝達されるようになったため、ある情報に携わったユーザ（利用者）は、セキュリティ目的でなく、その情報の流通経路を把握できることを望んでいた。
【特許文献１】特許第３２６５６２１公報
【発明の開示】
【発明が解決しようとする課題】
【０００４】
上述した従来技術においては、電子文書によって情報が漏洩又は伝達した場合には、その情報の漏洩（伝達）元及び漏洩（伝達）先をユーザ認証記録やアクセス制御記録、通信記録等から解析することが可能であった。しかしながら、紙文書によって情報が漏洩した場合には、その情報の漏洩元及び漏洩先を解析して流通経路を把握できないという問題があった。
【０００５】
本発明は上記の点に鑑みてなされたものであり、紙を媒体とした情報の流通経路をより高速に把握できる情報流通把握システム、情報流通把握サーバ、情報流通把握方法、及び情報流通把握プログラムを提供することを目的とする。
【課題を解決するための手段】
【０００６】
上記課題を解決するため、本発明は、紙を媒体とした情報の流通経路を把握する情報流通把握システムであって、前記紙から検出される前記紙を一意に識別する紙識別情報に基づいて、以前に解析した前記情報の流通経路の結果を示す履歴情報から更に派生した経路を検索する検索手段と、前記検索手段により得られた検索結果と前記履歴情報に基づいて、解析対象の紙の前記情報の流通経路を解析する解析手段とを有する。
【０００７】
また、上記課題を解決するため、本発明は、紙を媒体とした情報の流通経路を把握する情報流通把握サーバであって、クライアントからの要求に基づき、前記紙から検出される前記紙を一意に識別する紙識別情報に基づいて、以前に解析した前記情報の流通経路の結果を示す履歴情報から更に派生した経路を検索する検索手段と、前記検索手段により得られた検索結果と前記履歴情報に基づいて、解析対象の紙の前記情報の流通経路を解析する解析手段と、前記クライアントと通信するためのクライアント通信手段とを有する。
【０００８】
更に、上記課題を解決するための手段として、本発明は、紙を媒体とした情報の流通経路を把握する情報流通把握方法であって、前記紙から検出される前記紙を一意に識別する紙識別情報に基づいて、以前に解析した前記情報の流通経路の結果を示す履歴情報から更に派生した経路を検索する検索手順と、前記検索手順により得られた検索結果と前記履歴情報に基づいて、解析対象の紙の前記情報の流通経路を解析する解析手順とを有する。
【０００９】
更にまた、上記課題を解決するための手段として、本発明は、上記情報流通把握方法での手順を、コンピュータに実行させるプログラムとすることもできる。
【発明の効果】
【００１０】
本発明によれば、紙を媒体とした情報の流通経路をより高速に把握することを可能とする。
【発明を実施するための最良の形態】
【００１１】
次に、本発明を実施するための最良の形態について、図面を参照しつつ説明する。
【００１２】
図１は、文書流通把握システムの一実施例の構成図である。なお、図１の文書流通把握システムは、情報流通把握システムの一例である。図１の文書流通把握システムは、追跡サーバ１０、クライアントＰＣ２０、プリンタ３０ａ、複合機３０ｂ〜３０ｅが、例えばＬＡＮ等のネットワーク経由でデータ通信可能に接続された構成である。
【００１３】
図１の文書流通把握システムでは、ユーザＡの操作によりクライアントＰＣ２０に保存されている電子文書がプリンタ３０ａから紙文書４０ａとして印刷され、ユーザＢの操作により紙文書４０ａがプリンタ３０ｂで紙文書４０ｂとしてコピーされ、ユーザＣの操作により紙文書４０ａがプリンタ３０ｃで紙文書４０ｃとしてコピーされ、ユーザＤの操作により紙文書４０ｂがプリンタ３０ｄで紙文書４０ｄとしてコピーされ、ユーザＥの操作により紙文書４０ｂがプリンタ３０ｅで紙文書４０ｅとしてコピーされている。
【００１４】
図１の文書流通把握システムは、上記のような印刷及びコピーがなされた時に、例えばユーザＡにより印刷された文書の流通経路を追跡サーバ１０からクライアントＰＣ２０より取得する。これにより、ユーザＡに、文書の流通経路を把握させる例を示している。
【００１５】
図１の文書流通把握システムは、大別すると記録ステップ及び追跡ステップに係る処理を行う。記録ステップは、文書が実際に流通した際、その追跡ログを記録するステップである。追跡ステップは、記録ステップにおいて記録されている追跡ログを検索することで、ある紙文書の流通経路を把握するステップである。
【００１６】
記録ステップは、プリンタ、複写機、スキャナ又は複合機等、紙文書に関する画像を取り扱う画像処理装置が、印刷、コピー、又はスキャン等によって、情報の媒体として使用される用紙を一意に識別する紙識別子と、当該用紙に対する画像処理に係る操作情報等を関連付けて追跡ログとして記録するステップである。
【００１７】
画像処理に係る操作情報には、処理（例えば、印刷、コピー、又はスキャン等）の内容、処理が行われた日時、操作を行ったユーザの識別情報（例えば、ユーザＩＤ等）、後述する紙識別子及び親紙識別子、処理が行われた画像処理装置の識別情報（例えば、機器ＩＤ等）等、追跡ステップにおいて必要とされる情報が含まれる。
【００１８】
また、用紙の識別子は用紙より検出可能であることが必要である。なお、本実施例では紙文書と用紙の語句を区別して用いている。紙文書は、紙を媒体として伝達される文書（例えば、文字、図形、写真（画像）等）である。用紙は、紙文書（情報）を伝達するための媒体（記録媒体）となる紙である。したがって、用紙の識別子は、各用紙を一意に識別する情報をいい、例えば地紋、紙紋等を示す。よって、用紙の識別子は、同一の紙文書であっても異なってくる。
【００１９】
各画像処理装置は、用紙を媒体として紙文書の入力（スキャン）又は出力（印刷）が行われるたびに、紙文書の媒体とされた用紙の識別子及び画像処理に係る操作情報を追跡サーバ１０に適時送信する。追跡サーバ１０には、各画像処理装置より送信された用紙の識別子及び当該用紙に対する画像処理に係る操作情報等が追跡ログとして蓄積される。
【００２０】
一方、追跡ステップは、ある紙文書の流通経路等をユーザに提示するステップである。追跡ステップは、紙文書の媒体とされた用紙の識別子に基づいて、記録ステップにおいて記録された追跡ログを検索することで、紙文書の流通経路として、紙文書の流通元（どこを流通してきたか）及び流通先（どこへ流通していったか）の少なくとも一方を解析するステップである。
【００２１】
図１の文書流通把握システムでは、ユーザＡに対して紙文書の流通経路を提示した場合が示されている。追跡サーバ１０は、紙文書の媒体とされた用紙の識別子に基づいて、蓄積されている追跡ログを検索することにより紙文書の流通経路を解析し、その解析結果をクライアントＰＣ２０に送信する。クライアントＰＣ２０は、ディスプレイ等の解析結果を表示させる。このようにして、ユーザＡはある紙文書についての流通経路を把握できる。
【００２２】
＜記録ステップ＞
図２は、記録ステップを実現する追跡ログ記録システムの一例のブロック図である。図２の追跡ログ記録システム１は、追跡サーバ１０及び画像処理装置の一例である複合機３０の機能ブロックを表している。以下において、複合機３０においてユーザがコピー操作を行った際の処理の流れを説明する。
【００２３】
追跡ログシステム１は、インターネットやＬＡＮ等のネットワーク（有線又は無線の別は問わない）によって、相互に接続された追跡サーバ１０と、一台以上の複合機３０とを含むように構成される。複合機３０は、図１のプリンタ３０ａ、複合機３０ｂ〜３０ｅ等の一例である。したがって、追跡ログ記録システム１の構成要素としては必ずしも複合機３０である必要はなく、プリンタ、複写機、スキャナ又はファクシミリ等であってもよい。
【００２４】
本実施例では、予め用紙に備わっている特徴量（紙識別情報）として紙紋を利用する例を説明する。なお、紙紋データの検出及び照合に関しては、「Ｎａｔｕｒｅ  Ｖｏｌ４３６  ２８  Ｊｕｌｙ  ２００５号  Ｐ４７５」（以下、参考文献１という）に記載されているような技術を利用すればよい。
【００２５】
図２において、複合機３０は、ジョブ制御部３１と、操作情報収集部３２と、スキャン部３３ａ及びスキャン部３３ｂと、印刷部３４と、追跡ログ作成部３５と、通信部３６とを含むように構成されている。なお、スキャン部３３ａ及びスキャン部３３ｂの何れでもよい場合には、スキャン部３３と総称する。
【００２６】
図２の複合機３０を構成するジョブ制御部３１、操作情報収集部３２、スキャン部３３ａ及びスキャン部３３ｂ、印刷部３４、追跡ログ作成部３５、及び通信部３６等の各部は、複合機３０にインストールされたプログラムが、複合機３０のＣＰＵによって処理されることにより機能する。プログラムは、ネットワークを介してダウンロードされてもよいし、ＣＤ−ＲＯＭ、ＳＤメモリカード等の記録媒体５００よりインストールされてもよい。
【００２７】
ジョブ制御部３１は、ユーザより指示されたジョブ（コピー、印刷、又はスキャン等）に関する処理全体の流れを制御する。操作情報収集部３２は、紙文書からの情報の入力又は紙文書への情報の出力等の画像処理に係る操作情報を収集する。例えば、操作情報として、操作（印刷、コピー、又はスキャン等）が行われた日時、操作指示を行ったユーザのユーザＩＤ，複合機３０の機器ＩＤ等を収集する。
【００２８】
スキャン部３３ａは、画像読取部３３１ａ及び紙紋検出部３３２ａ等により構成される。スキャン部３３ｂは、画像読取部３３１ｂ及び紙紋検出部３３２ｂ等により構成される。画像読取部３３１ａと画像読取部３３１ｂとは、同様の機能である。また、紙紋検出部３３２ａと紙紋検出部３３２ｂとも同様の機能である。したがって、画像読取部３３１ａと画像読取部３３１ｂとを総称する場合は、画像読取部３３１という。また、紙紋検出部３３２ａと紙紋検出部３３２ｂとを総称する場合は紙紋検出部３３２という。
【００２９】
画像読取部３３１は、画像処理装置３０のスキャナを制御し、紙文書の情報（画像）を入力する（光学的に読み取る）。紙紋検出部３３２は、画像処理装置３０が備える紙紋検出器を制御し、スキャナによって紙文書が読み取られる際に、用紙の紙紋を紙紋検出器に検出させる。なお、紙紋検出器は紙の表面の植物繊維のランダムパターンである紙紋の凹凸を検出する。ここで検出される情報が紙紋に相当する。
【００３０】
本実施例では、紙紋を紙文書の用紙を一意に識別する識別子（紙識別子）として用いる。紙紋は、人間の指紋のように用紙ごとに一意なパターンを形成するため、用紙を一意に識別するための識別子として適しているからである。紙紋は用紙に対して改めて加工等することによって当該用紙に付加されるものではなく、当該用紙が予め備えている特徴量であるという点においても、紙紋を識別子として用いるのは本発明の実施において好適である。なお、紙紋に関しては、参考文献１に詳しく記載されている。
【００３１】
なお、スキャン部３３が２つ記載されているのは、一般の複合機において、コンタクトガラスとＡＤＦ（Ａｕｔｏ  Ｄｏｃｕｍｅｎｔ  Ｆｅｅｄｅｒ）とによって画像を読み取るため、２つのスキャナが搭載されているものが多いからである。したがって、スキャン部３３は、２つに限定されず、１つでも構わないし、３つ以上存在してもよい。
【００３２】
印刷部３４は、画像描画部３４１及び紙紋検出部３４２等により構成される。画像描画部３４１は、画像処理装置３０のプロッタを制御して、出力（印刷）する出力（印刷）用紙に情報（画像）を出力する（印刷する）。紙紋検出部３４２は、画像が印刷される印刷用紙の紙紋を画像処理装置３０の紙紋検出器に検出させる。なお、スキャン部３３の紙紋検出部３３２と印刷部３４の紙紋検出部３４２とは、追跡ステップで用紙の異同が識別できるよう、常に用紙の同じ箇所から紙紋を検出できるように配慮する。
【００３３】
例えば、印刷やＡＤＦを用いたスキャンでは、用紙の搬送路の途中に紙紋検出器を設置して用紙の通過のタイミングに合わせて紙紋の検出を行うようにすればよい。また、コンタクトガラスを用いたスキャンの場合は、用紙の同じ箇所の紙紋を検出できるように紙紋検出器を設置すればよい。
【００３４】
追跡ログ作成部３５は、操作情報収集部３２によって収集される画像処理に係る操作情報とスキャン部３３の紙紋検出部３３２によって検出されるスキャンされた用紙の紙紋及び印刷部３４の紙紋検出部３４２によって検出される印刷用紙の紙紋の少なくとも一方とに基づき、予め定められた形式で追跡ログを生成する。通信部３６は、ネットワークを介して追跡ログを追跡サーバ１０に送信する。
【００３５】
一方、追跡サーバ１０は、通信部１１と、追跡ログ管理部１２と、追跡ログ保管部１３とを含むように構成されている。通信部１１は、ネットワークを介して接続する各機器より追跡ログを受信する。追跡ログ保管部１３は、受信された追跡ログを追跡サーバ１０の記憶装置等に所定の形式で記録することにより、追跡ログを保管する。追跡ログ管理部１２は、追跡ログ保管部１３によって保管されている追跡ログに基づいて、紙文書の流通経路を解析する。
【００３６】
図２の追跡サーバ１０を構成する通信部１１、追跡ログ管理部１２、及び追跡ログ保管部１３等の各部は、追跡サーバ１０にインストールされたプログラムが、追跡サーバ１０のＣＰＵによって処理されることにより機能する。プログラムはネットワークを介してダウンロードされてもよいし、ＣＤ−ＲＯＭ、ＳＤメモリカード等の記録媒体５１０によりインストールされてもよい。
【００３７】
以下、図２の追跡ログ記録システムの処理手順について説明する。図３及び図４は、追跡ログ記録システムによる追跡ログ記録処理を説明する一例のシーケンス図である。なお、図３及び図４では、複合機３０において紙文書のコピーが指示された際に実行される追跡ログ記録処理について説明する。
【００３８】
また、本実施例において、コピージョブは、紙文書から画像をスキャンするスキャン処理と、スキャンされた画像を印刷用紙へ印刷する印刷処理とから構成される。図３のシーケンス図は、スキャン処理に対応する。図４のシーケンス図は、印刷処理に対応する。スキャナ又はプリンタに関しては、それぞれ印刷処理又はスキャン処理を行わない装置であると考えれば、複合機３０と同様であるため、ここでの詳細な説明を省略する。
【００３９】
例えば、ユーザＡが、紙文書が印刷されている用紙（原稿用紙）を複合機３０のＡＤＦ又はコンタクトガラスにセットし、操作パネルを操作してコピーの実行を指示する（Ｓ１０１）。ジョブ制御部３１は、画像読取部３３１に原稿の読み取りを指示する（Ｓ１０２）。ジョブ制御部３１は、紙紋検出部３３２に原稿用紙の紙紋検出を指示する（Ｓ１０３）。ジョブ制御部３１からの指示に応じ、画像読取部３３１は、複合機３０のスキャナを制御し、画像用紙から紙文書の画像を読み取る（Ｓ１０４）。
【００４０】
画像読取部３３１は、読み取った画像を示す画像データを生成し、その画像データを複合機３０のＨＤＤ等の記憶装置に保存する（Ｓ１０５）。画像読取部３３１は、生成した画像データを一意に識別する情報（画像ＩＤ）を、Ｓ１０２の読み取り指示に対する応答としてジョブ制御部３１に送信する（Ｓ１０６）。
【００４１】
一方、画像読取部３３１による画像の読み取りと並行して、紙紋検出部３３２が、複合機３０の紙紋検出機を制御し、原稿用紙の紙紋を検出する（Ｓ１０７）。紙紋検出部３３２は、検出された紙紋をＳ１０３の紙紋検出指示に対する応答としてジョブ制御部３１に送信する（Ｓ１０８）。
【００４２】
ジョブ制御部３１は、操作情報の収集指示に伴って、処理の内容、原稿用紙より読み取られた画像データの画像ＩＤ、及び原稿用紙の紙紋を操作情報収集部３２に通知する（Ｓ１０９）。なお、処理の内容は、コピー操作の中のスキャンを表している。操作情報収集部３２は、操作が行われた日時、操作指示を行ったユーザのユーザＩＤ、複合機３０の機器ＩＤ，ジョブＩＤ等を収集する（Ｓ１１０）。
【００４３】
操作情報収集部３２は、収集した操作が行われた日時、操作指示を行ったユーザのユーザＩＤ、複合機３０の機器ＩＤ，ジョブＩＤ等の情報と、ジョブ制御部３１より通知された処理の内容、原稿用紙より読み取られた画像データの画像ＩＤ及び原稿用紙より検出された紙紋等の情報とをあわせ、操作情報として追跡ログ作成部３５に送信する（Ｓ１１１）。なお、操作情報のうち、ユーザＩＤは、複合機３０の認証機能に基づいて取得すればよい。また、機器ＩＤは、複合機３０のＭＡＣアドレス、ＩＰアドレス、又はシリアル番号等を用いればよい。
【００４４】
複合機３０の認証機能としては、ユーザＩ／Ｆ部を利用してユーザの識別情報（ユーザＩＤ及びパスワード等）を入力させる方法、ＩＣカードを利用しＩＣカードに記録されているユーザの識別情報を入力させる方法等が考えられる。
【００４５】
追跡ログ作成部３５は、操作情報収集部３２から受信した情報に基づいて、追跡ログを所定の形式によって生成する（Ｓ１１２）。追跡ログ作成部３５は、生成した追跡ログを、コピー操作中のスキャン処理のログとして、通信部３６経由で追跡サーバ１０に送信する（Ｓ１１３，Ｓ１１４）。追跡サーバ１０の通信部１１は、複合機３０より追跡ログを受信すると、受信した追跡ログを追跡ログ保管部１３に送信する（Ｓ１１５）。追跡ログ保管部１３は、受信した追跡ログを追跡サーバ１０のＨＤＤ等の記憶装置に保存する（Ｓ１１６）。
【００４６】
図５は、スキャン処理に係る追跡ログの一例を示す構成図である。図５の追跡ログＬ１は、操作が行われた時刻（又は日時）、操作を行ったユーザ名、操作の対象となった用紙の紙紋、処理の内容、及び画像ＩＤ等を含む。図５の追跡ログＬ１は、図３のＳ１１６の処理において保存されたものに対応する。
【００４７】
図５に示すように、追跡ログＬ１における紙紋「ハ」は、原稿用紙より検出された紙紋を示す。処理の内容「Ｓｃａｎ（ｃｏｐｙ）」は、コピージョブのうちのスキャン処理を示す。画像ＩＤは、原稿用紙より読み取られた画像データの画像ＩＤを示す。紙紋の「ハ」は便宜上、紙紋を表す情報の代わりに、紙紋を符号によって表現したものである。かかる表記は、以下においても同様とする。なお、追跡ログＬ１に、複合機３０の機器ＩＤを含めてもよい。
【００４８】
スキャン処理が完了すると、ジョブ制御部３１は、画像描画部３４１に画像ＩＤを通知することにより画像データの印刷を指示する（Ｓ１５１）。ジョブ制御部３１は、紙紋検出部３４２に印刷用紙の紙紋検出を指示する（Ｓ１５２）。
【００４９】
画像描画部３４１は、ジョブ制御部３１からの指示に応じ、画像ＩＤに基づいて記憶装置より画像データを取得し、複合機３０のプリンタを制御して画像データを印刷用紙に印刷する（Ｓ１５３）。印刷が完了すると、画像描画部３４１は、ジョブ制御部３１に画像データの印刷が完了したこと送信する（Ｓ１５４）。
【００５０】
一方、画像描画部３４１による画像データの印刷と並行して、紙紋検出部３４２は、複合機３０の紙紋検出器を制御し、画像データが印刷される印刷用紙の紙紋を検出する（Ｓ１５５）。紙紋検出部３４２は、検出された紙紋をＳ１５２の処理における紙紋検出指示に対する応答としてジョブ制御部３１に送信する（Ｓ１５６）。
【００５１】
なお、画像描画部３４１による画像データの印刷用紙への印刷と、紙紋検出部３４２による印刷用紙からの紙紋の検出と順番に関しては、いずれが先でも又は同時でも構わない。なお、画像データの印刷前に印刷用紙より紙紋を検出する方が、トナーの付着による紙紋の変化の影響を受けないという点において好ましい。
【００５２】
ジョブ制御部３１は、操作情報の収集指示にしたがって、処理の内容、印刷用紙に印刷された画像データの画像ＩＤ、及び印刷用紙より検出された紙紋を操作情報収集部３２に通知する（Ｓ１５７）。処理の内容は、コピー操作中の印刷を表している。操作情報収集部３２は、操作が行われた日時、操作指示を行ったユーザのユーザＩＤ、複合機３０の機器ＩＤ，ジョブＩＤ等を収集する（Ｓ１５８）。
【００５３】
操作情報収集部３２は、Ｓ１５８の処理により収集した、操作が行われた日時、操作指示を行ったユーザのユーザＩＤ，複合機３０の機器ＩＤ，ジョブＩＤ等の情報と、ジョブ制御部３１より通知された処理の内容、印刷用紙より読み取られた画像データの画像ＩＤ及び印刷用紙より検出された紙紋等の情報とを合わせ、操作情報として追跡ログ作成部３５に送信する（Ｓ１５９）。なお、Ｓ１６０以降の処理は、図３のＳ１１２〜Ｓ１１６の処理と同様であるため、説明を省略する。
【００５４】
図４の処理の結果、追跡ログサーバ１０の追跡ログ保管部１３には、図６に示されるような追跡ログが新たに追加される。図６は、印刷処理に係る追跡ログの一例を示す構成図である。図６の追跡ログＬ２を構成する項目は、図５の追跡ログＬ１と同様である。しかしながら、紙紋「二」は、印刷用紙より検出された紙紋である。また、処理の内容「Ｐｒｉｎｔ（ｃｏｐｙ）」は、コピージョブのうちの印刷処理を示す。画像ＩＤは、印刷用紙に印刷された画像データの画像ＩＤを示す。
【００５５】
なお、一つのコピージョブに対してスキャン処理の追跡ログと印刷処理の追跡ログとを別々に記録しておくのは、例えばスキャンはしたものの紙詰まり等で印刷ができなかった場合であっても、あるユーザがコピーしようとしたという事実を記録できるようにするためである。
【００５６】
一つのコピージョブに対してスキャン処理の追跡ログと印刷処理の追跡ログとを分ける場合は、２つの追跡ログの関連付けが維持されるように工夫する必要がある。例えば、双方の追跡ログには同一のコピージョブのジョブＩＤを付加してもよい。ただし、コピー（複写）元の紙文書が複数枚の原稿用紙より構成されている場合や、一つの紙文書に基づいて複数部のコピーが指示される場合も考えられる。後述する追跡ステップでは、用紙単位での関連付けをする必要があるため、用紙単位で複写元と複写先との関連付けが行われるよう追跡ログが記録されることが望ましい。
【００５７】
本実施例では、上述の点を考慮し、スキャン処理の追跡ログと印刷処理の追跡ログとを関連付けるための情報として画像ＩＤを用いている。本実施例において、コピー元の紙文書が複数枚の原稿用紙より構成される場合、又は、同一原稿に対して複数部のコピーが指定された場合等は、例えば各原稿用紙がスキャンされるごとに、また、各印刷用紙に印刷されるごとに追跡ログを生成し、記録するようにすればよい。この場合は、各追跡ログに記録された、スキャンされた画像データの画像ＩＤ又は印刷された画像データの画像ＩＤによって、各追跡ログを用紙単位で関連付けることができる。また、スキャン処理の追跡ログと印刷処理の追跡ログとを関連付けるための情報として、画像ＩＤの代わりに紙紋を用いてもよい。すなわち、各追跡ログに、コピー元の画像ＩＤの代わりに、コピー元の原稿用紙の紙紋を記録するようにしても同様の効果を得ることができる。
【００５８】
なお、コピージョブに関して、スキャン処理の追跡ログと印刷処理の追跡ログとを分けずに、複写元の原稿用紙及び複写先の印刷用紙の組み合わせの単位で追跡ログを構成するようにしてもよい。この場合、同一の追跡ログに含まれていることが複写元と複写先との関連付けになるため、画像ＩＤによる関連付けは不要となる。
【００５９】
なお、図３及び図４のシーケンス図においては、コピージョブが指示された場合について説明したが、単なるスキャン（すなわち、紙文書を電子データとして保存する処理）が指示された場合には、図３の処理を行えばよく、単なる印刷（すなわち、電子データの印刷を行う処理）が指示された場合、図４の処理を行えばよい。
【００６０】
＜追跡ステップ＞
次に、追跡ステップについて説明する。追跡ステップは、ある紙文書についての流通経路を把握するステップである。追跡ステップにおいては、図１に示したように、追跡サーバ１０の他に、紙紋検出器と紙文書の流通経路（紙を媒体とした情報の流通経路）の解析結果を出力する出力装置とを備えたクライアントＰＣ２０又は複合機３０等の装置が必要とされる。
【００６１】
図７は、追跡ステップを実現する情報追跡システムの一例のブロック図である。図７の情報追跡システム２は、図２の追跡ログ記録システム１と同一部分については同一符号を付し、その説明を省略する。
【００６２】
図７の情報追跡システム２は、インターネットやＬＡＮ等のネットワークによって相互に接続された追跡サーバ１０と、複合機３０とを含むように構成される。
【００６３】
図７に示す複合機３０は、スキャン部３３と、通信部３６と、ユーザインタフェース（Ｉ／Ｆ）部（ディスプレイ）３７と、追跡処理部３８とを含むように構成されている。
【００６４】
図７の複合機３０を構成するスキャン部３３、通信部３６、ユーザインタフェース（Ｉ／Ｆ）部（ディスプレイ）３７、追跡処理部３８等の各部は、複合機３０にインストールされたプログラムが複合機３０のＣＰＵによって処理されることで機能する。なお、プログラムは、ネットワークを介してダウンロードされてもよいし、ＣＤ−ＲＯＭ、ＳＤメモリカード等の記録媒体５２０によりインストールされてもよい。
【００６５】
スキャン部３３は、紙識別子検出部３３２等により構成される。紙識別子検出部３３２は、複合機３０の紙紋検出器を制御し、流通経路の解析対象とされた紙文書の用紙の紙紋、地紋等（紙を一意に特定する紙識別子、以下「紙識別子」という。）を検出する。
【００６６】
通信部３６は、追跡サーバ１０との通信を制御する。ユーザＩ／Ｆ部３７は、複合機３０のオペレーションパネルを介した情報の入出力に関する制御を行う。
【００６７】
追跡処理部３８は、追跡サーバ１０に対する流通経路の解析を要求するメッセージ（解析リクエスト）の作成や、解析リクエストに応じて追跡サーバ１０より返信される解析結果を表示させるための処理等を行う。
【００６８】
一方、追跡サーバ１０は、通信部１１と、追跡ログ管理部１２と、追跡ログ保管部１３と、履歴保管部１４とを含むように構成されている。履歴保管部１４は、すでに追跡ログ管理部１２により解析された紙文書の流通経路の結果を示す履歴情報を含むファミリー情報を追跡サーバ１０の記憶装置等に所定の形式で記録することにより保管する。ファミリー情報については後述する。
【００６９】
追跡ログ管理部１２は、紙文書の流通経路を解析するにあたり、まず履歴保管部１４に保管されているファミリー情報に、解析対象の紙文書の用紙の紙識別子に対応するファミリー情報が存在するか否かを検索する。
【００７０】
追跡ログ管理部１２は、紙識別子に対応するファミリー情報が存在しない場合には、紙識別子に関連する追跡ログを追跡ログ保管部１３によって保管されている追跡ログに基づいて検索し、紙文書の流通経路の解析結果を生成する。また追跡ログ管理部１２は、検索結果に基づいてファミリー情報を作成し、作成したファミリー情報を履歴保管部１４に保管する。
【００７１】
追跡ログ管理部１２は、解析対象の紙文書の紙識別子に対応するファミリー情報が存在する場合には、ファミリー情報に変更があるか否かを確認する。追跡ログ管理部１２は、ファミリーを構成する全ての紙識別子について、追跡ログ保管部１３に保管されている追跡ログに基づいて検索し、ファミリー情報作成日時後に、画像処理がなされ新しくログが追加された等の変更があったか否かを確認する。
【００７２】
追跡ログ管理部１２は、ファミリーを構成する紙識別子のうち、変更があった紙識別子についてのみ、ファミリー情報作成日時後に記録された追跡ログ保管部１３の追跡ログに基づいて、それぞれ関連する追跡ログを検索する。追跡ログ管理部１２は、変更があった紙識別子について検索した結果と検索したファミリー情報とに基づいて、紙文書の流通経路について解析結果を生成する。また、追跡ログ管理部１２は、検索結果に基づいてファミリー情報を更新し、履歴保管部１４に保管する。
【００７３】
追跡ログ管理部１２は、解析対象の紙文書の紙識別子に対応するファミリー情報が存在し、ファミリー情報に変更がない場合には、履歴保管部１４に保管されているファミリー情報から紙文書の流通経路の解析結果を生成する。
【００７４】
また、追跡ログ管理部１２は、解析対象の紙文書の紙識別子に対応するファミリー情報が存在しない場合であっても、例えば紙識別子の親紙識別子に対応するファミリー情報が存在する場合には、親紙識別子に対応するファミリー情報を利用して、流通経路を解析する。
【００７５】
具体的には、追跡ログ管理部１２は、解析対象の紙識別子について、紙識別子に関連する追跡ログを追跡ログ保管部１３に保管されている追跡ログに基づいて検索するとともに、紙識別子の親紙識別子を検索する。追跡ログ管理部１２は、検索した親紙識別子に対応するファミリー情報があるか否かを検索し、ファミリー情報がある場合には上記に説明したように、ファミリー情報の変更を確認し、変更がある場合には変更のあった紙識別子について更に追跡ログ検索する。追跡ログ管理部１２は、紙識別子について検索した結果と、紙識別子の親紙識別子のファミリー情報について検索した結果とを合わせて、流通経路の解析結果を生成することができる。
【００７６】
上述したように、解析した紙文書の流通経路の結果を示す履歴情報をファミリー情報として保管し、保管したファミリー情報を利用して、流通経路の解析後に新しく追加されたログのみ検索することで、紙文書の流通経路を高速に解析することを可能とする。
【００７７】
図８は、ファミリー情報の一例を示す図である。ファミリー情報は、紙文書の用紙の紙識別子に基づいて、紙識別子に対応する追跡ログを検索し、流通経路を解析した結果を示す履歴情報に基づいて作成される。ファミリー情報は、ある紙文書から画像処理によって派生した紙についてグループ化したものであり、ある紙文書から流通した情報の流通経路を家系図として示している。図８に示すように、ファミリー情報は、紙文書の用紙を特定する紙識別子を用いて紙文書の流通経路を示すことができる。
【００７８】
図８に示すファミリー情報において、ある紙文書の紙識別子「イ」は、印刷等の画像処理により紙識別子「ロ」に派生し、紙識別子「ロ」が印刷等されることにより紙識別子「二」に派生している。また、紙識別子「イ」から、印刷等により紙識別子「ハ」が派生し、紙識別子「ハ」から紙識別子「ホ」が派生している。
【００７９】
このように、ファミリー情報を家系図として示すことで、紙を媒体として、画像処理によって派生する紙文書の流通経路を示すことができる。ここで、例えば紙識別子「ロ」は、紙識別子「イ」を印刷等することにより派生したものであるため、紙識別子「ロ」に対して、紙識別子「イ」は親紙識別子に該当する。同様に、紙識別子「ロ」は、紙識別子「二」の親紙識別子に該当する。
【００８０】
また、図８に示すファミリー情報において、ファミリーを識別するファミリー識別子は「イ」であり、ファミリー「イ」は、ファミリー「イ」、「ロ」、「ハ」、「二」、「ホ」により構成されている。ファミリー情報には、ファミリー情報が作成された日時「２００７年９月２８日１５時１６分２０秒」が記載されている。なお、ファミリー情報が作成された日時とは、追跡ログ管理部１２によってファミリーを構成する紙識別子について追跡ログ検索（解析）がなされた日時である。
【００８１】
図９は、変更されたファミリー情報の一例を示す図である。図９に示すファミリー情報は、図８に示すファミリー情報と比較して、新たに紙識別子「ホ」から紙識別子「ト」が派生し、紙識別子「イ」から「へ」が派生している。ファミリー情報は、ファミリーを構成する紙識別子に対して解析された流通経路が示されているため、ファミリー情報作成日時後に変更がある紙識別子についてのみ、ログ情報を検索することで、紙文書の流通経路を高速に解析することが可能となる。
【００８２】
上記図８と図９に示すファミリー情報を利用して、流通経路を解析する例について説明する。図８に示すファミリーを構成する紙識別子について、流通経路を解析する場合には、追跡ログ管理部１２は、図８のファミリー情報作成日以降に、変更があった紙識別子（例えば「イ」と「ホ」）のみ、追跡ログ保管部１３において関連する追跡ログを検索する。検索の結果、図８のファミリー情報作成後、紙識別子「イ」から「へ」が派生し、紙識別子「ホ」から「ト」が派生していたことから、新しく派生した紙識別子を図８のファミリー情報に追加、更新することで、図９に示す流通経路を解析結果として生成することが可能となる。
【００８３】
また、図８に示すファミリーを構成する紙識別子について、ファミリー情報作成日後に変更がなかった場合には、図８に示す流通経路を解析結果としてそのまま利用することができる。
【００８４】
また、図８において、ファミリーを構成しない紙識別子（例えば図９に示す紙識別子「ト」）について、新しく流通経路を解析する場合には、紙識別子「ト」の親紙識別子「ホ」を追跡ログ保管部１３から検索し、追跡ログ履歴部１４から「ホ」に対応するファミリー情報を検索する。このように、紙識別子に対応するファミリー情報がない場合でも、紙識別子の親紙識別子に対応するファミリー情報を利用することで、紙識別子「ト」の来歴を示す流通経路について高速に解析することが可能となる。
【００８５】
上述のように、すでに解析した流通経路の結果を示す履歴情報をファミリー情報として利用することで、ある紙文書の流通経路について全て解析する必要がなくなるため、流通経路を高速に解析することを可能とする。
【００８６】
図１０は、流通経路解析処理におけるファミリー情報新規作成処理を説明するためのシーケンス図である。ユーザが、複合機３０のオペレーションパネルを介して流通経路の解析内容を設定すると、ユーザＩ／Ｆ部３７は、設定された内容を保持する（Ｓ２０１）。ここで、流通経路の解析内容には、解析対象とされている紙文書の来歴を解析するのか、流通先を解析するのか、又はその両方を解析するのか等、解析対象とする経路の範囲等が含まれる。
【００８７】
次に、ユーザが、紙文書を複合機３０のＡＤＦ又はコンタクトガラスにセットし、オペレーションパネルを介して流通経路の解析のための追跡スキャン実行指示をすると（Ｓ２０２）、ユーザＩ／Ｆ部３７は、紙識別子検出部３３２に紙文書の紙紋等の紙識別子の検出を指示する（Ｓ２０３）。また、ユーザＩ／Ｆ部３７は、ユーザによって設定された解析内容を追跡処理部３８に通知する（Ｓ２０４）。紙識別子検出部３３２は、ユーザＩ／Ｆ部３７の指示にしたがい、複合機３０のスキャン部３３を制御し、紙文書の用紙の紙識別子を検出する（Ｓ２０５）。紙識別子検出部３３２は、検出された紙識別子を追跡処理部３８に送信する（Ｓ２０６）。
【００８８】
次に、追跡処理部３８は、ユーザＩ／Ｆ部３７より出力された解析内容と、紙識別子検出部３３２によって検出された紙識別子を含めて解析リクエストを作成し（Ｓ２０７）、通信部３６を介して追跡サーバ１０に送信する（Ｓ２０８）。追跡サーバ１０の通信部１１は、解析リクエストを受信すると、当該解析リクエストを追跡ログ管理部１２に送信する。
【００８９】
追跡ログ管理部１２は、受信した解析リクエストにしたがい、解析リクエストに含まれた紙識別子に基づいて履歴保管部１４によって蓄積されたファミリー情報を検索する（Ｓ２０９）。
【００９０】
追跡ログ管理部１２は、検索した結果、解析リクエストに含まれる紙識別子に対応するファミリー情報が存在しない場合には、解析リクエストにしたがい、解析リクエストに含まれた識別子に基づき追跡ログ保管部１３によって蓄積された追跡ログを検索し、紙識別子に関連する追跡ログを解析する（Ｓ２１０）。なお、解析処理の詳細については後述する。
【００９１】
追跡ログ管理部１２は、Ｓ２１０の処理にて検索した結果に基づき、解析結果を生成する（Ｓ２１１）。また、Ｓ２１０の処理にて検索した結果に基づき、ファミリー情報を生成する（Ｓ２１２）し、生成したファミリー情報を履歴保管部１４に送信する（Ｓ２１３）。履歴保管部１４では、送信されたファミリー情報を保存する。
【００９２】
また、追跡ログ管理部１２は、Ｓ２１１の処理にて生成した解析結果を、通信部１１を介して複合機３０に送信する（Ｓ２１４）。複合機３０は、通信部３６を介して受信した解析結果を追跡処理部３８に送信する。
【００９３】
追跡処理部３８は、受信した解析結果をユーザが見やすい形に視覚化する（Ｓ２１５）。次に、追跡処理部３８は、視覚化した解析結果をユーザＩ／Ｆ部３７に表示する（Ｓ２１６）。ユーザは、ユーザＩ／Ｆ部３７に表示された解析結果を確認する（Ｓ２１７）。
【００９４】
図１１は、情報追跡処理におけるファミリー情報更新処理を用いた場合の実施例を示すシーケンス図である。なお、図１１は、上述した図１０の実施例と比較すると、追跡ログ管理部１２が履歴保管部１４においてファミリー情報検索したときに、ファミリー情報が存在した場合の例である。
【００９５】
したがって、図１１に示すＳ２５１〜Ｓ２５９までの処理、及びＳ２６３〜Ｓ２６６までは、上述した図１０に示す実施例におけるＳ２０１〜Ｓ２０９までの処理、及びＳ２１４〜Ｓ２１７までの処理と同等であるため、ここでの具体的な説明は省略する。
【００９６】
図１１に示す実施例では、Ｓ２５９の処理にて、ファミリー情報が存在した場合に、ファミリー情報に変更があるか否かを確認する。ファミリー情報に変更があった場合には、追跡ログ保管部１３において、ファミリー情報作成日時後、新しく記録された追跡ログを検索し流通経路を解析する（Ｓ２６０）。
【００９７】
追跡ログ管理部１２は、Ｓ２５９の処理にて検索して得たファミリー情報と、Ｓ２６０の処理にて新しく解析した結果とに基づいて、解析結果を生成する（Ｓ２６１）。また、履歴保管部１４は、Ｓ２６０の処理にて得た検索結果に基づいて、ファミリー情報を更新する（Ｓ２６２）。ファミリー情報の更新では、追跡日時の更新、追記された追跡ログの紙識別子の追加、変更部分における紙識別子の削除等を行う。追跡ログ管理部１２は、Ｓ２６１の処理にて生成した解析結果を、通信部１１を介して複合機３０に送信する（Ｓ２６３）。
【００９８】
図１２は、流通経路解析処理におけるファミリー情報解析処理を説明するためのシーケンス図である。なお、図１２は、上述した図１０の実施例と比較すると、追跡ログ管理部１２が履歴保管部１４においてファミリー情報検索したときに、ファミリー情報が存在し、かつファミリー情報に変更がなかった場合の例である。
【００９９】
したがって、図１２に示すＳ３０１〜Ｓ３０９までの処理、及びＳ３１１〜Ｓ３１４までは、上述した図１０に示す実施例におけるＳ２０１〜Ｓ２０９までの処理、及びＳ２１４〜Ｓ２１７までの処理と同等であるため、ここでの具体的な説明は省略する。
【０１００】
図１２に示す情報追跡処理の実施例では、Ｓ３０９の処理にて、ファミリー情報が存在した場合に、ファミリー情報に変更があるか否かを確認する。ファミリー情報に変更がなかった場合には、追跡ログ管理部１２は、Ｓ３０９の処理にて検索して得たファミリー情報から解析結果を生成する（Ｓ３１０）。
【０１０１】
次に、追跡ログ管理部が行う流通経路解析処理について説明する。図１３は、追跡ログ管理部が行う流通経路解析処理の一例を示すフローチャートである。
【０１０２】
図１３に示すように、追跡サーバ１０の追跡ログ管理部１２は、解析対象の紙文書の用紙の紙識別子を検索キーに設定する（Ｓ３５１）。次に、履歴保管部１４から検索キーのファミリー情報を取得する（Ｓ３５２）。追跡ログ管理部１２は、検索キーのファミリー情報があるか否かを確認する（Ｓ３５３）。ファミリー情報がない場合（Ｓ３５３において、ＮＯ）、追跡ログ管理部１２は、紙識別子を検索キーに設定し（Ｓ３５４）、追跡ログ保管部１３から紙識別子に対応する追跡ログを検索する（Ｓ３５５）。
【０１０３】
追跡ログ管理部１２は、Ｓ３５５の処理にて得た検索結果から解析結果を生成する（Ｓ３５６）。次に、検索結果からファミリー情報を生成する（Ｓ３５７）。次に、追跡ログ管理部１２は、Ｓ３５７の処理にて生成したファミリー情報を履歴保管部１４に保存し（Ｓ３５８）、処理を終了する。
【０１０４】
ファミリー情報がある場合（Ｓ３５３において、ＹＥＳ）、追跡ログ管理部１２は、ファミリー情報に変更があるか否かを確認する（Ｓ３５９）。ファミリー情報に変更がある場合（Ｓ３５９において、ＹＥＳ）、ファミリー情報の変更のある紙識別子を検索キーに設定し（Ｓ３６０）、変更のある紙識別子があるか否かを確認する（Ｓ３６１）。
【０１０５】
変更のある紙識別子がある場合（Ｓ３６１において、ＹＥＳ）、変更のある紙識別子について追跡ログを検索する（Ｓ３６２）。追跡ログ管理部１２は、Ｓ３６２の処理にて得た追跡ログ検索結果を追跡結果に追加する（Ｓ３６３）。追跡ログ管理部１２は、次の変更のある紙識別子を検索キーに設定する（Ｓ３６４）。
【０１０６】
変更の紙識別子がない場合（Ｓ３６１において、ＮＯ）、ファミリー情報、追跡ログ検索結果から解析結果を生成する（Ｓ３６５）。次に、追跡ログ管理部１２は、検索結果からファミリー情報を更新する（Ｓ３６６）。次に、追跡ログ管理部１２は、更新したファミリー情報を履歴保管部１４に保存する（Ｓ３６７）。
【０１０７】
なお、ファミリー情報に変更がない場合（Ｓ３５９において、ＮＯ）、追跡ログ管理部１２は、ファミリー情報から解析結果を生成する（Ｓ３６８）。
【０１０８】
次に、追跡ログ管理部が行う追跡ログ検索処理について説明する。図１４は、追跡ログ管理部が行う追跡ログ検索処理の一例を示すフローチャートである。
【０１０９】
追跡ログ管理部１２は、解析対象の紙の紙識別子を検索キーに設定する（Ｓ４０２）。追跡ログ管理部１２は、検索日時の指定があるか否かを確認する（Ｓ４０３）。検索日時の指定がない場合（Ｓ４０３において、ＮＯ）、追跡ログ保管部１３から検索キーが親紙識別子になっているログを取得する（Ｓ４０４）。また、検索日時の指定がある場合（Ｓ４０３において、ＹＥＳ）、追跡ログ保管部１３から検索日時後に記録されたログで、かつ検索キーが親紙識別子になっているログを取得する（Ｓ４０５）。
【０１１０】
なお、ここで検索日時とは、ファミリー情報に記載されたファミリー情報作成日時を示す。よって、図１３のＳ３５３の処理にてファミリー情報があった場合には、Ｓ４０３において検索日時の指定がある場合となる。
【０１１１】
次に、追跡ログ管理部１２は、検索キーが親紙識別子のログがあるか否かを確認する（Ｓ４０６）。ログがある場合（Ｓ４０６において、ＹＥＳ）、検索結果に取得したログを追加する（Ｓ４０７）。次に、取得したログについて追跡ログ検索が終了するまで検索する（Ｓ４０８）。次に、取得したログの紙識別子を検索キーに設定し（Ｓ４０９）、追跡ログを検索する（Ｓ４１０）。追跡ログ管理部１２は、検索結果に、取得したログを追加する（Ｓ４１１）。なお、検索キーが親紙識別子のログがない場合（Ｓ４０６において、ＮＯ）、処理を終了する。
【０１１２】
ところで、上記した図７の情報追跡システム２の追跡サーバ１０は、例えば、図１５に示すような情報処理装置を用いて構成することができる。図１５は、追跡サーバ１０のハードウェア構成の一例を示す図である。
【０１１３】
図１５において、追跡サーバ１０は、コンピュータ装置であって、それぞれシステムバスで相互に接続されている入力装置６１と、出力装置６２と、ドライブ装置６３と、補助記憶装置６４と、メモリ装置６５と、演算処理装置６６と、及びインターフェース装置６７とで構成される。
【０１１４】
入力装置６１は、キーボードやマウス等で構成され、各種信号を入力するために用いられる。出力装置６２は、ディスプレイ装置等で構成され、各種ウインドウやデータ等を表示するために用いられる。インターフェース装置６７は、モデム、ＬＡＮカード等で構成されており、ネットワークに接続するために用いられる。
【０１１５】
追跡サーバ１０は、このインターフェース装置６７によってネットワークを介して外部に設けられた複数の複合機３０、スキャナ、プリンタ、クライアントＰＣ等と通信し、各種リクエスト及び各種情報を受け取り、また追跡サーバ１０にて生成した各種情報を出力する。
【０１１６】
本実施形態に係る情報流通把握プログラムは、追跡サーバ１０を制御する各種プログラムの少なくとも一部である。情報流通把握プログラムは、例えば記憶媒体６８の配布やネットワークからのダウンロード等によって提供される。また、情報流通把握プログラムを記憶した記憶媒体６８は、ＣＤ−ＲＯＭ、フレキシブルディスク、光磁気ディスク等のように情報を光学的、電気的或いは磁気的に記憶する記憶媒体、ＲＯＭ（Ｒｅａｄ  Ｏｎｌｙ  Ｍｅｍｏｒｙ）、フラッシュメモリ等のように情報を電気的に記憶する半導体メモリ等、様々なタイプの記憶媒体を用いて提供することができる。
【０１１７】
また、情報流通把握プログラムを記憶した記憶媒体６８がドライブ装置６３にセットされると、情報流通把握プログラムは、記憶媒体６８からドライブ装置６３を介して補助記憶装置６４にインストールされる。
【０１１８】
更に、情報流通把握プログラムは、ネットワークからダウンロードされ、インターフェース装置６７を介して補助記憶装置６４にインストールされてもよい。
【０１１９】
追跡サーバ１０は、インストールされた情報流通把握プログラムを格納すると共に、必要なファイル、データ等を格納する。メモリ装置６５は、起動時に補助記憶装置６４から情報流通把握プログラムを読み出して格納する。そして、演算処理装置６６は、メモリ装置６５に格納された情報流通把握プログラムにしたがって、上述した各種処理を実現している。
【０１２０】
上述したように、本発明によれば、解析対象の紙の紙識別子に基づいて解析した流通経路を履歴として保存しておき、この履歴情報を用いて、新たに追加記録されたログのみ検索することにより、紙文書の流通経路解析を高速化することを可能とする。
【０１２１】
以上、本発明の好ましい実施形態について詳述したが、本発明は係る特定の実施形態に限定されるものではなく、特許請求の範囲に記載された本発明の要旨の範囲内において、種々の変形、変更が可能である。
【図面の簡単な説明】
【０１２２】
【図１】文書流通把握システムの一実施例の構成図である。
【図２】記録ステップを実現する追跡ログ記録システムの一例のブロック図である。
【図３】追跡ログ記録システムによる追跡ログ記録処理（スキャン処理）を説明する一例のシーケンス図である。
【図４】追跡ログ記録システムによる追跡ログ記録処理（印刷処理）を説明する一例のシーケンス図である。
【図５】スキャン処理に係る追跡ログの一例を示す構成図である。
【図６】印刷処理に係る追跡ログの一例を示す構成図である。
【図７】追跡ステップを実現する情報追跡システムの一例のブロック図である。
【図８】ファミリー情報の一例を示す図である。
【図９】変更されたファミリー情報の一例を示す図である。
【図１０】流通経路解析処理におけるファミリー情報新規作成処理を説明するためのシーケンス図である。
【図１１】流通経路解析処理におけるファミリー情報更新処理を説明するためのシーケンス図である。
【図１２】流通経路解析処理におけるファミリー情報解析処理を説明するためのシーケンス図である。
【図１３】追跡ログ管理部が行う流通経路解析処理の一例を示すフローチャートである。
【図１４】追跡ログ管理部が行う追跡ログ検索処理の一例を示すフローチャートである。
【図１５】追跡サーバのハードウェア構成の一例を示す図である。
【符号の説明】
【０１２３】
１  追跡ログ記録システム
２  情報追跡システム
１０  追跡サーバ
１１，２４，３６  通信部
１２  追跡ログ管理部
１３  追跡ログ保管部
１４  履歴保管部
３０，３０ｂ〜３０ｅ，５０  複合機
３０ａ  プリンタ
３１  ジョブ制御部
３２  操作情報収集部
３３，３３ａ，３３ｂ  スキャン部
３４  印刷部
３５  追跡ログ作成部
４０ａ〜４０ｅ  紙文書
５１  ユーザＩ／Ｆ部（ディスプレイ）
５２  スキャン部
５３  追跡処理部
５４  通信部
６１  入力装置
６２  出力装置
６３  ドライブ装置
６４  補助記憶装置
６５  メモリ装置
６６  演算処理装置
６７  インターフェース装置
６８  記憶装置
３３１，３３１ａ，３３１ｂ  画像読取部
３３２，３３２ａ，３３２ｂ  紙紋（紙識別子）検出部
３４１  画像描画部
３４２  紙紋検出部
【図１】
2010072874.tif 000003
【図２】
2010072874.tif 000004
【図３】
2010072874.tif 000005
【図４】
2010072874.tif 000006
【図５】
2010072874.tif 000007
【図６】
2010072874.tif 000008
【図７】
2010072874.tif 000009
【図８】
2010072874.tif 000010
【図９】
2010072874.tif 000011
【図１０】
2010072874.tif 000012
【図１１】
2010072874.tif 000013
【図１２】
2010072874.tif 000014
【図１３】
2010072874.tif 000015
【図１４】
2010072874.tif 000016
【図１５】
2010072874.tif 000017